(57)【要約】【課題】本発明は、放水装置の操作によって複数の散水パターンを生成可能であって、その１つのパターンが霧状の散水パターンである、霧噴射機能を備えた散水ノズルを提供することを課題とする。【解決手段】給水管を内部に収容したハンドルと、ハンドルに連結されるバレルと、バレルに収容される調整部材と、調整部材に連結される放水装置とを含み、放水装置が、回転部材と、該回転部材に取り付けられたカラーと、該回転部材に連結されたノズル部材とを含み、ノズル部材に、円錐形面と中心孔と複数のアパーチャとが設けられ、アパーチャの周囲に円錐形凹部が設けられ、円錐状凹部に螺旋溝が設けられ、中間部材のロッドが、ノズル部材の円錐状凹部に重なり、螺旋溝の一部がロッドから露出してなる、霧噴射機能を備えた散水ノズルによる。【選択図】図１
2007167831.tif 000002
【特許請求の範囲】
【請求項１】
給水管を内部に収容したハンドルと、該ハンドルに連結されるバレルと、該バレルに収容される調整部材と、該調整部材に連結される放水装置とを含んでなる霧噴射機能を備えた散水ノズルであって、
前記バレル内に、前記給水管と連結される放水管が収容され、
前記放水装置が、回転部材と、該回転部材に取り付けられたカラーと、該回転部材に連結されたノズル部材とを含み、
前記回転部材に第１内管が設けられ、
前記ノズル部材に、内周に複数の凸部を有する第２内管が設けられ、
前記第１内管と第２内管との間に中間部材が配置され、
前記中間部材の一面に、複数のロッド及び複数の流路が設けられ、
前記中間部材の他の一面に、複数のスロットを有する管状部が延設され、
前記第１内管に、前記管状部が挿入され、
前記ノズル部材に、円錐形面と、中心孔と、複数のアパーチャとが設けられ、
前記アパーチャの周囲に、円錐形凹部が設けられ、
前記円錐状凹部に螺旋溝が設けられ、
前記中間部材のロッドが、前記ノズル部材の円錐状凹部に重なり、前記螺旋溝の一部がロッドから露出し、霧状の水が該螺旋溝を通じて放出されることを特徴とする、霧噴射機能を備えた散水ノズル。
【請求項２】
前記放水管にレールが設けられ、前記調整部材に該レールと移動自在に係合する案内溝が設けられることを特徴とする請求項１に記載の霧噴射機能を備えた散水ノズル。
【請求項３】
前記調整部材にネジ部が設けられ、
前記調整部材の一端に、フランジが半径方向に設けられ、
前記フランジの外周に溝が設けられ、
前記溝に、前記バレルの内周と接触するシールが係合され、
前期調整部材の他の一端が閉塞し、側部に側孔が設けられ、
前記調整部材に、第１シール部材、第２シール部材、及び第３シール部材が取り付けられ、
前記第１シール部材と第２シール部材との間に、前記側孔が配置され、
前記調整部材の前記閉塞した他の一端に、複数の通し孔を有する末端部材が接続され、
前記末端部材の端部に頸部が設けられ、
前記頸部内に、前記通し孔と連通するオリフィスが設けられ、
前記オリフィスが、前記頸部の端部において円錐形開口部を形成することを特徴とする、請求項１又は２に記載の霧噴射機能を備えた散水ノズル。
【請求項４】
前記回転部材に環状溝が設けられ、
前記環状溝に、前記バレルの内周と接触するシールが係合され、
前記バレルに保持部材が取り付けられ、
前記保持部材の内周にスタッドが設けられ、
前記回転部材の環状溝の脇に、保持溝が設けられ、
前記保持部材のスタッドと前記回転部材の保持溝とが係合することを特徴とする、請求項１〜３の何れか一に記載の霧噴射機能を備えた散水ノズル。
【請求項５】
前記回転部材の後部の内周がねじ切りされ、前記調整部材のねじ部とねじ込み連結され、
前記回転部材の前部に外周がねじ切りされた管が設けられ、
前記回転部材の第１内管と外周がねじ切りされた管との間に、第１室が形成されることを特徴とする、請求項１〜４の何れか一に記載の、霧噴射機能を備えた散水ノズル。
【請求項６】
前記回転部材に、複数のブロックが半径方向に延設され、
前記カラーの内周に、係合溝が設けられ、
前記回転部材のブロックと前記カラーの係合溝とが係合されることを特徴とする、請求項１〜５の何れか一に記載の霧噴射機能を備えた散水ノズル。
【請求項７】
前記中間部材の管状部に、複数の内溝が設けられ、
前記ノズル部材の第２内管に、前記内溝と係合するリブが設けられ、
前記中間部材の内溝と前記ノズル部材のリブとが移動可能に係合されることを特徴とする、請求項１〜６の何れか一に記載の霧噴射機能を備えた散水ノズル。
【請求項８】
前記ノズル部材の内周がねじ切りされ、前記回転部材の外周がねじ切りされた管とねじ込み接続されることを特徴とする、請求項１〜７の何れか一に記載の霧噴射機能を備えた散水ノズル。
【請求項９】
前記回転部材とノズル部材との間及び前記第２内管と調節部材との間に、シールが挟み込まれることを特徴とする、請求項１〜８の何れか一に記載の霧噴射機能を備えた散水ノズル。
【発明の詳細な説明】
【技術分野】
【０００１】
本発明は、細かい水粒子を噴射できる散水ノズルに関し、特に選択的に霧の噴射を行うことのできる霧噴射機能を備えた散水ノズルのに関する。
【背景技術】
【０００２】
従来の散水ノズルは一般的に、園芸での必要性に応じて様々な散水パターンを行うことができる。これらの散水パターンとしては、強い水流、複数の細かい水流、円錐状の水流、及び円形の水流等がある。これらの水流は、園芸におけるほとんどの必要を満たすものであるが、水流の水粒子が、一部の植物や花にとっては大きすぎるため、水滴により植物や花が傷つけられてしまうことがあった。そこで、霧状の散水パターンを生成する散水ノズルが求められている。
【発明の開示】
【発明が解決しようとする課題】
【０００３】
本発明の課題は、放水装置の操作によって複数の散水パターンを生成可能であって、その１つのパターンが霧状の散水パターンである、霧噴射機能を備えた散水ノズルを提供することである。
【課題を解決するための手段】
【０００４】
本発明者らは鋭意研究を重ねた結果、ノズル部材に螺旋溝を有する円錐形凹部を設け、放水装置を回転させることによって水流を選択可能にすることにより、上記課題を解決する散水ノズルを完成した。
【０００５】
すなわち、本考案の霧噴射機能を備えた散水ノズルは、以下よりなる。
１．給水管を内部に収容したハンドルと、該ハンドルに連結されるバレルと、該バレルに収容される調整部材と、該調整部材に連結される放水装置とを含んでなる霧噴射機能を備えた散水ノズルであって、
前記バレル内に、前記給水管と連結される放水管が収容され、
前記放水装置が、回転部材と、該回転部材に取り付けられたカラーと、該回転部材に連結されたノズル部材とを含み、
前記回転部材に第１内管が設けられ、
前記ノズル部材に、内周に複数の凸部を有する第２内管が設けられ、
前記第１内管と第２内管との間に中間部材が配置され、
前記中間部材の一面に、複数のロッド及び複数の流路が設けられ、
前記中間部材の他の一面に、複数のスロットを有する管状部が延設され、
前記第１内管に、前記管状部が挿入され、
前記ノズル部材に、円錐形面と、中心孔と、複数のアパーチャとが設けられ、
前記アパーチャの周囲に、円錐形凹部が設けられ、
前記円錐状凹部に螺旋溝が設けられ、
前記中間部材のロッドが、前記ノズル部材の円錐状凹部に重なり、前記螺旋溝の一部がロッドから露出し、霧状の水が該螺旋溝を通じて放出されることを特徴とする、霧噴射機能を備えた散水ノズル。
２．前記放水管にレールが設けられ、前記調整部材に該レールと移動自在に係合する案内溝が設けられることを特徴とする前項１に記載の霧噴射機能を備えた散水ノズル。
３．前記調整部材にネジ部が設けられ、
前記調整部材の一端に、フランジが半径方向に設けられ、
前記フランジの外周に溝が設けられ、
前記溝に、前記バレルの内周と接触するシールが係合され、
前期調整部材の他の一端が閉塞し、側部に側孔が設けられ、
前記調整部材に、第１シール部材、第２シール部材、及び第３シール部材が取り付けられ、
前記第１シール部材と第２シール部材との間に、前記側孔が配置され、
前記調整部材の前記閉塞した他の一端に、複数の通し孔を有する末端部材が接続され、
前記末端部材の端部に頸部が設けられ、
前記頸部内に、前記通し孔と連通するオリフィスが設けられ、
前記オリフィスが、前記頸部の端部において円錐形開口部を形成することを特徴とする、前項１又は２に記載の霧噴射機能を備えた散水ノズル。
４．前記回転部材に環状溝が設けられ、
前記環状溝に、前記バレルの内周と接触するシールが係合され、
前記バレルに保持部材が取り付けられ、
前記保持部材の内周にスタッドが設けられ、
前記回転部材の環状溝の脇に、保持溝が設けられ、
前記保持部材のスタッドと前記回転部材の保持溝とが係合することを特徴とする、前項１〜３の何れか一に記載の霧噴射機能を備えた散水ノズル。
５．前記回転部材の後部の内周がねじ切りされ、前記調整部材のねじ部とねじ込み連結され、
前記回転部材の前部に外周がねじ切りされた管が設けられ、
前記回転部材の第１内管と外周がねじ切りされた管との間に、第１室が形成されることを特徴とする、前項１〜４の何れか一に記載の、霧噴射機能を備えた散水ノズル。
６．前記回転部材に、複数のブロックが半径方向に延設され、
前記カラーの内周に、係合溝が設けられ、
前記回転部材のブロックと前記カラーの係合溝とが係合されることを特徴とする、前項１〜５の何れか一に記載の霧噴射機能を備えた散水ノズル。
７．前記中間部材の管状部に、複数の内溝が設けられ、
前記ノズル部材の第２内管に、前記内溝と係合するリブが設けられ、
前記中間部材の内溝と前記ノズル部材のリブとが移動可能に係合されることを特徴とする、前項１〜６の何れか一に記載の霧噴射機能を備えた散水ノズル。
８．前記ノズル部材の内周がねじ切りされ、前記回転部材の外周がねじ切りされた管とねじ込み接続されることを特徴とする、前項１〜７の何れか一に記載の霧噴射機能を備えた散水ノズル。
９．前記回転部材とノズル部材との間及び前記第２内管と調節部材との間に、シールが挟み込まれることを特徴とする、前項１〜８の何れか一に記載の霧噴射機能を備えた散水ノズル。
【発明の効果】
【０００６】
本発明によれば、散水時に必要に応じて、放水装置を操作することによって、霧の噴射を含む複数の散水パターンを生成可能となる。
【発明を実施するための最良の形態】
【０００７】
以下に、本考案の一実施形態を示し、具体的に説明するが、本考案はこれらに限定されるものではない。
【０００８】
図１、図２Ａ、図２Ｂ、図３及び図４に示すように、本発明の散水ノズル１０は、散水ノズル１０に水を導入するホース（図示なし）に連結される給水管１１を収容するハンドル１４を備える。バレル１６がハンドル１４に連結されており、バレル１６に収容される放水管１２が給水管１１に連結される。引き金１３がハンドル１４に枢動可能に連結されており、引き金１３を所望の位置に固定するために係止片１３１が引き金１３に連結されている。調整弁１５がバレル１６の片側に配置され、調整つまみ１５１が調整弁１５に連結される。
【０００９】
バレル１６には調整部材が収容されており、放水装置２００が調整部材１８に連結される。放水装置２００は、回転部材２０と、回転部材２０に取り付けられるカラー５０と、回転部材２０に連結されたノズル部材４０とを含む。
【００１０】
調整部材１８は、その外周がねじ切りされたネジ部１８２を含み、フランジ１８３が調整部材１８の一端にて半径方向に突き出すように設けられる。溝１８４がフランジ１８３の外周に設けられ、バレル１６の内周と接触するシール１８５が溝１８４に係合される。調整部材１８の他の一端は閉塞され、その側部に側孔１８６が設けられる。第１シール部材１８７、第２シール部材１８８、および第３シール部材１８９が、各々、調整部材１８に取り付けられ、側孔１８６が第１シール部材１８７と第２シール部材１８８との間に配置される。末端部材１９が調整部材１８の閉塞した一端に取り付けられており、末端部材１９は複数の通し孔１９１を含む。頸部１９２が末端部材１９の端部に設けられており、通し孔１９１と連通するオリフィス１９３が頸部１９２内に軸方向に設けられる。オリフィス１９３は、頸部１９２の端部において円錐形開口部１９４を形成する。放水管１２にはレール１２１が設けられ、調整部材１８には、レール１２１と直線的かつ移動自在に係合する案内溝１８１（図４）が設けられる。
【００１１】
回転部材２０には環状溝２１が設けられ、環状溝２１にはシール２１１が係合され、シール２１１がバレル１６の内周と接触する。保持部材１７がバレル１６に取り付けられ、保持部材１７の内周にスタッド１７１が設けられ、スタッド１７１が、回転部材２０の環状溝２１の脇に設けられた保持溝２２と係合する。回転部材２０の後部は、内周がねじ切りされており、調整部材１８のネジ部１８２とねじ込み連結される。回転部材２０の前部には、外周がねじ切りされた管２４が設けられ、第１内管２３１との間に、第１室２５が形成される。回転部材２０から半径方向に複数のブロック２４１が延設され、カラー５０の内周には係合溝５１が設けられ、ブロック２４１と係合溝５１とが係合され、カラー５０が回転部材２０に取り付けられる。
【００１２】
回転部材２０の第１内管２３１とノズル部材４０の第２内管４５との間に、中間部材３０が配置される。中間部材３０の一面には、複数のロッド３１と流路３２が設けられる。中間部材３０の他方の一面には、複数のスロットを有する管状部３３が延設され、回転部材２０の第１内管２３１に挿入される。
【００１３】
ノズル部材４０の内周はねじ切りされた部分４１を有し、回転部材２０の外周がねじ切りされた管２４とねじ込み接続される。回転部材２０とノズル部材４０との間には、シール４６が挟み込まれ、第２内管４５と中間部材３０との間にはシール４７が挟み込まれる。ノズル部材４０には、円錐形面４２と中心孔４３とが設けられ、円錐形面４２を取り囲むように複数のアパーチャ４４が設けられる。複数のＬ字形凹部がノズル部材４０の前面に設けられ、ここで、アパーチャ４４はＬ字形凹部の垂直部分に配置されている。図２Ｄに示すように、Ｌ字形凹部を設けず、アパーチャ４４をノズル部材４０の円錐形外周に沿って配置することもできる。ノズル部材内側の、各アパーチャ４４の周囲には、円錐形凹部４４１が設けられる。各円錐形凹部４４１には、螺旋溝４４２が設けられる。中間部材３０の管状部３３には、複数の内溝３３２が設けられ、ノズル部材４０の第２内管４５には、内溝３３２と移動自在に係合するリブ４５１が設けられる。
【００１４】
図５に示すように、調整部材１８が移動して、末端部材１９の頸部１９２上の傾斜面１９５がノズル部材４０の中心孔４３を密閉すると、側孔１８６が第２室４８に位置決めされ、第１シール部材１８７と第２内管４５との間には、第２内管４５内周の複数の凸部４５２によって形成された隙間ができる。その時、第２シール部材１８８と第３シール部材１８９は管状部３３と接触し、密閉されている。このため、水が側孔１８６から流れ出し、第１シール部材１８７と第２内管４５との間に形成された隙間を通って第２室４８に入り、その後通し孔１９１から末端部材１９内に入る。その後、水は、オリフィス１９３から円錐形開口部１９４に沿って流れ出す。
【００１５】
図６に示すように、放水装置２００を回転させて、傾斜面１９５が中心孔４３から離れるように調整部材１８を移動させると、第２シール部材１８８と第３シール部材１８９が依然として管状部３３を密閉するため、水は第１室２５に入ることができない。この水は側孔１８６から流れ出して第２室４８に入り、第１シール部材１８７と第２内管４５との間の隙間を通過する。その時、この水の一部はオリフィス１９３から円錐形開口部１９４に沿って流れ出す。この水の他の一部は頸部１９２を通過し、中心孔４３から流れ出す。後者の水は、末広の円錐形面４２に沿って流れ、末広の水流を形成する。
【００１６】
図７に示すように、放水装置２００をさらに回転させると、調整部材１８の末端部材１９の前端が中心孔４３の箇所に位置決めされる。第１シール部材１８７、第２シール部材１８８、および第３シール部材１８９が、図６と同様の所に位置決めされるため、ノズル部材４０への水流は図６の場合と同じになる。ただし、頸部１９２と中心孔４３の周囲との間に円形の隙間ができるため、水流はまっすぐになる。
【００１７】
図８に示すように、第１シール部材１８７、第２シール部材１８８、および第３シール部材１８９が中間部材３０と管状部３３の所に位置決めされるように調整部材１８を移動させると、散水ノズルは密閉状態になり水が出ない。
【００１８】
図９は、ロッド３１が円錐状凹部４４１に重なり、各螺旋溝４４２の一部がロッド３１から露出する状態を示すものである。調整部材１８の側孔１８６が、管状部３３のスロット３３１の所に位置決めされ、第１シール部材１８７が管状部３３を密閉するため、水は第２室４８に入ることができない。第２シール部材１８８と第３シール部材１８９がスロット３３１の箇所に位置決めされ、水が側孔１８６からスロット３３１を通って第１室２５に流れ込み、流路３２を通って螺旋溝４４２に入る。次に、この水はアパーチャ４４と円錐形凹部４４１に流れ込む。このため、この水はアパーチャ４４から霧状になって放出される。
【００１９】
本発明の他の実施形態としては、図２Ｃに示すように、ノズル部材４０の内周に設けられた円錐形凹部４４１を中間部材３０のロッド３１よりも大きくし、ロッド３１が円錐形凹部４４１に挿入して、円錐形凹部４４１とロッド３１との間に円形の隙間ができるようにするこもできる。また、中間部材３０とノズル部材４０との間の相対的な回転を防ぐために、中間部材３０とノズル部材４０を超音波溶接によって連結することもできる。
【産業上の利用可能性】
【００２０】
本発明により、必要に応じて、霧状を含む散水パターンを選択可能な、霧噴射機能を備えた散水ノズルを提供可能となる。
【図面の簡単な説明】
【００２１】
【図１】本発明の霧噴射機能を備えた散水ノズルの分解図である。
【図２Ａ】本発明の霧噴射機能を備えた散水ノズルのノズル部材の斜視図である。
【図２Ｂ】本発明の霧噴射機能を備えた散水ノズルの中間部材及びノズル部材を示す図である。
【図２Ｃ】本発明の霧噴射機能を備えた散水ノズルの中間部材及びノズル部材の他の実施形態を示す図である。
【図２Ｄ】本発明の霧噴射機能を備えた散水ノズルの中間部材及びノズル部材の他の実施形態を示す分解図である。
【図３】本発明の霧噴射機能を備えた散水ノズルの斜視図である。
【図４】本発明の霧噴射機能を備えた散水ノズルの断面図である。
【図５】本発明の霧噴射機能を備えた散水ノズルの部分断面図である。
【図６】本発明の霧噴射機能を備えた散水ノズルの部分断面図である。
【図７】本発明の霧噴射機能を備えた散水ノズルの部分断面図である。
【図８】本発明の霧噴射機能を備えた散水ノズルの部分断面図である。
【図９】本発明の霧噴射機能を備えた散水ノズルの部分断面図である。
【符号の説明】
【００２２】
１０    散水ノズル
１１    給水管
１２    放水管
１３    引き金
１４    ハンドル
１５    調整弁
１６    バレル
１７    保持部材
１８    調整部材
１９    末端部材
２０    回転部材
２１    環状溝
２２    保持溝
２４    管
２５    第１室
３０    中間部材
３１    ロッド
３２    流路
３３    管状部
４０    ノズル部材
４１    ねじ切りされた部分
４２    円錐形面
４３    中心孔
４４    アパーチャ
４５    第２内管
４６    シール
４７    シール
４８    第２室
５０    カラー
５１    係合溝
１２１    レール
１３１    係止片
１５１    調整つまみ
１７１    スタッド
１８１    案内溝
１８２    ねじ部
１８３    フランジ
１８４    溝
１８５    シール
１８６    側孔
１８７    第１シール部材
１８８    第２シール部材
１８９    第３シール部材
１９１    通し孔
１９２    頸部
１９３    オリフィス
１９４    開口部
１９５    傾斜面
２００    放水装置
２１１    シール
２３１    第１内管
２４１    ブロック
３３１    スロット
３３２    内溝
４４１    円錐形凹部
４４２    螺旋溝
４５１    リブ
【図１】
2007167831.tif 000003
【図２Ａ】
2007167831.tif 000004
【図２Ｂ】
2007167831.tif 000005
【図２Ｃ】
2007167831.tif 000006
【図２Ｄ】
2007167831.tif 000007
【図３】
2007167831.tif 000008
【図４】
2007167831.tif 000009
【図５】
2007167831.tif 000010
【図６】
2007167831.tif 000011
【図７】
2007167831.tif 000012
【図８】
2007167831.tif 000013
【図９】
2007167831.tif 000014